(57)【要約】  本発明は、通常の演奏状態において、音を小さくすることが可能な息圧調整弱音装置、そのアダプター、及びそれらを有する吹奏楽器を提供することを目的とする。本発明の息圧調整弱音装置は、吹奏楽器の吹口に設けられている息圧調整弱音装置であって、息逃し孔と、ウィンドウェイ幅制御部と、を有することを特徴とする。また、本発明の息圧調整弱音装置の好ましい実施態様において、さらに、前記息逃し孔の大きさを調整する息量調整部を有する。また、本発明の息圧調整弱音装置の好ましい実施態様において、前記息量調整部は、前記ウィンドウェイ幅制御部を兼ねることを特徴とする。
2016129176.tif 000002
【特許請求の範囲】
【請求項１】
吹奏楽器の吹口に設けられている息圧調整弱音装置であって、息逃し孔と、ウィンドウェイ幅制御部と、を有することを特徴とする息圧調整弱音装置。
【請求項２】
さらに、前記息逃し孔の大きさを調整する息量調整部を有する請求項１記載の息圧調整弱音装置。
【請求項３】
前記息量調整部は、前記ウィンドウェイ幅制御部を兼ねる請求項２記載の息圧調整弱音装置。
【請求項４】
前記息量調整部は、息量調整リングにより息量を調整するものであることを特徴とする請求項１〜３のいずれか１項に記載の息圧調整弱音装置。
【請求項５】
前記ウィンドウェイ幅制御部は、第一の息量調整孔を有する請求項１〜４のいずれか１項に記載の息圧調整弱音装置。
【請求項６】
前記ウィンドウェイ幅制御部は取替可能である請求項１〜５のいずれか１項に記載の息圧調整弱音装置。
【請求項７】
前記第一の息量調整孔の断面形状は、円弧状又は半円である請求項５記載の息圧調整弱音装置。
【請求項８】
前記吹奏楽器の吹口は、複数であり、前記複数の吹口に対応する請求項１〜７のいずれか１項に記載の息圧調整弱音装置。
【請求項９】
請求項１〜８のいずれか1項に記載の息圧調整弱音装置と、吹奏楽器本体との間に装着するアダプターであって、前記息圧調整弱音装置及び前記吹奏楽器本体に着脱可能であることを特徴とするアダプター。
【請求項１０】
さらに、前記ウィンドウェイ幅制御部のアダプター側の機能を備えていることを特徴とする請求項９記載のアダプター。
【請求項１１】
さらに、第二の息量調整孔を有する請求項１０記載のアダプター。
【請求項１２】
前記第二の息量調整孔の断面形状は、円弧状又は半円である請求項１１記載のアダプター。
【請求項１３】
さらに、補助アダプターを有する請求項９〜１２のいずれか1項に記載のアダプター。
【請求項１４】
請求項１〜８のいずれか１項に記載の息圧調整弱音装置又は請求項９〜１３のいずれか1項に記載のアダプターを有する吹奏楽器。
【発明の詳細な説明】
【技術分野】
【０００１】
本発明は、息圧調整弱音装置、そのアダプター、及びそれらを有する吹奏楽器に関し、特に、効果的に弱音を達成することが可能な息圧調整弱音装置、そのアダプター、及びそれらを有する吹奏楽器に関するものである。
【背景技術】
【０００２】
これまで、木管楽器においては、リードの振動、または、空気の流れによって起こる振動で音を発するため、それらの振動幅を抑えることで、弱音、消音を実現している。
特に、木管楽器に含まれるリコーダーは、窓部とウィンドウェイからなるエアリードを有し、空気の流れによって起こる振動で発音する吹奏楽器であり、この窓部とウィンドウェイ、エッジに部材や装置を設置することで、弱音が達成されることが知られている（特許文献１）。【０００３】
たとえば、特許文献１に記載の技術では、リコーダーを含むエアリードを有する吹奏楽器において、音質を変えることなく発音可能なウィンドウェイと窓部とエッジの部分に装着する音量調整装置が提案されている。
とりわけ、特許文献１においては、オカリナという楽器については、オカリナがリコーダーのように筒状の形状ではないため、オカリナ専用の固定用ベルト・ゴムを用いて、呼気遮断部をスライドさせて音圧を下げることで、弱音を実現するとされている。【０００４】
また、金管楽器においては、ベル部内に装着する弱音器が知られている（特許文献２）。特許文献２に記載の技術では、リコーダーを含む木管楽器用消音器具として、三次元網目状の多孔質体円柱体の器具を楽器本体の管内に装着する消音器具が提案されている。
【先行技術文献】
【特許文献】
【０００５】
【特許文献１】特開２０１３−１３７４８１号公報
【特許文献２】特開２０１０−８５９６０号公報
【非特許文献】
【０００６】
【非特許文献１】ウェブサイト「オカリーナの小道」より「オカリーナは閉管楽器か」
【発明の概要】
【発明が解決しようとする課題】
【０００７】
上述のように、金管楽器、木管楽器については、すでに様々な弱音器が開発されており、ウィンドウェイと窓部とエッジを備えたエアリードを有する楽器であるリコーダーや一部の木管楽器についても同様の弱音器、消音機、音圧調整器が開発されている。しかしながら、吹奏楽器の息量を直接調整する事で弱音効果を得る装置は未だ開発されていないのが現状である。【０００８】
また、吹奏楽器の練習を行う場合、音量が大きいため、音楽スタジオや防音設備が整っている場所を利用することが望ましいが、自宅での練習が主流となっている。とりわけ吹奏楽器のなかでもオカリナ愛好家のほとんどが主婦層、高年齢者層であり、自宅での練習が多い。
また、昨今の住宅事情について言えば、夜間や近隣の環境（乳幼児がいる、住居が集合住宅などで楽器演奏に規制があるなど）を理由に、吹奏楽器の練習時の音が迷惑となり、演奏ができない、あるいは、制限されることが多いなどの問題点を有する。
このような現状を鑑みて、可能な限り吹奏楽器の音を小さくすることが望まれている。【０００９】
しかしながら、上述の特許文献１及び２を含め、従来の吹奏楽器、例えば、エアリード楽器用弱音器を、弱音したい楽器に装着した場合、なかには、低音部から高音部に発音を移行するにつれ、息を弱めていかなければ適切な音がならなくなる虞があるという問題点を有する。すなわち、適切な音がならなくなるという特性を持つ種類の吹奏楽器も存在するが、かかる楽器用に、これまで適切な弱音器が存在しない。【００１０】
ここで、上記特許文献１の前記（００１９）を見ると、「リコーダーに従来のエアリード楽器用弱音器を装着すると音程が下がるが、リコーダーの音程（ピッチ）調整は、頭部管と中部管の継ぎ目の長さを調整することで可能である」と記載されている。
しかしながら、このような構造がないオカリナなどの吹奏楽器において、従来のエアリード用弱音器を単に着装した状態での伴奏用音源を使った練習や伴奏楽器との合わせ練習は、伴奏との音程（ピッチ）が合わなくなるため、演奏精度の観点から従来のエアリード楽器用弱音器を汎用的な吹奏楽器に適用することは実用的ではない。【００１１】
次に、オカリナなどの吹奏楽器においては、型を使い一定の品質、および、形状で吹奏楽器の大量生産を手掛ける大手メーカーをはじめ、一つ一つ粘土を手びねりすることで制作する個人を含めると吹奏楽器の制作者数は把握できないほどの数にのぼり、それゆえに外観、形状、大きさ、素材、表面塗装のみならず、吹口の形状・大きさ、ウィンドウェイの形状・太さ・長さ、窓部の形状・深さ、エッジの形状なども多種多様を極めるため、従来の歌口に取り付ける形式でのエアリード楽器用弱音器が全てのエアリードを有する吹奏楽器に当てはまると考えるのは非現実的である。【００１２】
仮に、歌口を持つ吹奏楽器に適用できるよう、たとえば、従来のエアリード楽器用弱音器等の素材を粘着性の高いテープやゲル素材を歌口（窓部とエッジ部の総称）周辺に貼り付けることは物理的には可能である。
この場合、吹奏楽器の塗装方法も多種多様で、プラスティック、金属等の他、楽器によっては素焼き、セラミック、漆仕上げなども含む。
独自に絵を描いているものもある。
そういったことを鑑みると、歌口周辺の塗装がはがれる、エッジ部がかけてしまうなど、損傷を与える可能性が高くなる等の問題点も有する。【００１３】
また、オカリナなどの吹奏楽器も、同じエアリードを有する楽器として前述のリコーダーと同種の楽器として分類されているが、上述のように、とりわけオカリナは本来「壺状楽器」であり、リコーダーとは構造上の相違点がある。
また、以下に述べるそれ以外の要素と相まって、従来のエアリード楽器用弱音器をそのまま使用するだけでは本来意図する効果を十分に得ることは困難である。
したがって、本来意図される弱音効果を得るためには、この構造上の相違点や汎用的に利用できるように吹奏楽器の共通要素を考慮した装置であることが望ましい。【００１４】
そこで、本発明は、通常の演奏状態において、音を小さくすることが可能な息圧調整弱音装置、そのアダプター、及びそれらを有する吹奏楽器を提供することを目的とする。
【課題を解決するための手段】
【００１５】
上記目的を達成するために、本発明者は、息圧調整弱音装置について鋭意検討を行った結果、本発明を見出すに至った。【００１６】
すなわち、本発明の息圧調整弱音装置は、吹奏楽器の吹口に設けられている息圧調整弱音装置であって、息逃し孔と、ウィンドウェイ幅制御部と、を有することを特徴とする。【００１７】
また、本発明の息圧調整弱音装置の好ましい実施態様において、さらに、前記息逃し孔の大きさを調整する息量調整部を有することを特徴とする。【００１８】
また、本発明の息圧調整弱音装置の好ましい実施態様において、前記息量調整部は、前記ウィンドウェイ幅制御部を兼ねることを特徴とする。【００１９】
また、本発明の息圧調整弱音装置の好ましい実施態様において、前記息量調整部は、息量調整リングにより息量を調整するものであることを特徴とする。【００２０】
また、本発明の息圧調整弱音装置の好ましい実施態様において、前記ウィンドウェイ幅制御部は、第一の息量調整孔を有することを特徴とする。【００２１】
また、本発明の息圧調整弱音装置の好ましい実施態様において、前記ウィンドウェイ幅制御部は取替可能であることを特徴とする。【００２２】
また、本発明の息圧調整弱音装置の好ましい実施態様において、前記第一の息量調整孔の断面形状は、円弧状又は半円であることを特徴とする。【００２３】
また、本発明の息圧調整弱音装置の好ましい実施態様において、前記吹奏楽器の吹口は、複数であり、前記複数の吹口に対応することを特徴とする。【００２４】
また、本発明のアダプターは、本発明の息圧調整弱音装置と、吹奏楽器本体との間に装着するアダプターであって、前記息圧調整弱音装置及び前記吹奏楽器本体に着脱可能であることを特徴とする。【００２５】
また、本発明のアダプターの好ましい実施態様において、さらに、前記ウィンドウェイ幅制御部のアダプター側の機能を備えていることを特徴とする。【００２６】
また、本発明のアダプターの好ましい実施態様において、さらに、第二の息量調整孔を有することを特徴とする。【００２７】
また、本発明のアダプターの好ましい実施態様において、前記第二の息量調整孔の断面形状は、円弧状又は半円であることを特徴とする。【００２８】
また、本発明のアダプターの好ましい実施態様において、さらに、補助アダプターを有することを特徴とする。【００２９】
また、本発明の吹奏楽器は、本発明の息圧調整弱音装置及び／又は本発明のアダプターを有することを特徴とする。【００３０】
また、本発明の別の態様において、オカリナなどの吹奏楽器の吹き口（息を入れる部分）にマウスピースを装着し、楽器の吹口の代わりにマウスピースに息を吹き入れ、楽器に息が到達する前に、マウスピース内部を通過する息の一部を「逃し孔」から外部へ放出し、さらにマウスピース内部のウィンドウェイの幅を狭めて楽器に届く息の量を制限することで、普段の吹奏感を保ちつつもオカリナ本体に入れる息の量を意図的に減らし、最終的に弱音効果を得ることを可能にした。【００３１】
奏者の息の量は人によって差があることや楽器の多様性を考慮し、逃がす息の量やマウスピース内の息の通路の幅は、マウスピースにウィンドウェイ幅制御部や必要に応じて息量調整リングを設け、それらを動かすことで柔軟に調整することも可能にした。【００３２】
すなわち、楽器の吹口に設けられる息圧調整弱音装置（マウスピース）であって、当該マウスピースに吹き入れた息が楽器本体に到達する前に、息量調整リングを設けてマウスピース内部を通過する息の一部を「逃し孔」から外部へ放出し、マウスピース内ウィンドウェイ幅制限部を設けてオカリナ本体に届く息の量をさらに制限することで、普段の吹奏感を保ちつつもオカリナ本体に入れる息の量を意図的に減らし、最終的に弱音効果を得られることを特徴とする。【００３３】
息圧調整弱音装置とオカリナ本体との間に装着する二段階式アダプター（アダプター）であって、楽器の吹口の形状、および、その周辺の太さ、ならびに、楽器本体の大きさに存在する多様性に対応して柔軟に脱着可能であるとともに、息圧調整弱音装置内ウィンドウェイ幅制限部のアダプター側の機能を備えていることを特徴とする。
息圧調整弱音装置の素材は、唾液の分泌を考慮して防水性であることが好ましい。当該素材としては、シリコンゴム、プラスティックのいずれも使用可能である。【００３４】
当該マウスピースに加えて、吹奏楽器の吹口の形状が多種多様であること、ならびに、大型吹奏楽器（低音域を発音するためのバス管）から小型吹奏楽器（高音域を発音するためのソプラノ管）に至るまで、吹口、および、その周辺の太さにも多様性があることを考慮し、吹奏楽器とマウスピースとの間でインターフェイスの役割を果たすものとして、大型吹奏楽器用と小型吹奏楽器用の二種類に対応し、着脱がそれぞれ可能なアダプターを追加することで、あらゆる種類の吹奏楽器に装着できるようにした。【００３５】
このように、本発明のマウスピースの形状を一つに統一することができ、アダプターによって多種多様な形状の吹奏楽器の吹口に対応して装着することが容易になる。素材は、楽器の吹口と直接触れる部分であるため、楽器に損傷を与えないよう、また、上記のような多種多様性に対応するべく柔軟性を持たせるため、シリコンゴムを採用することが可能である。
【発明の効果】
【００３６】
本発明の息圧調整弱音装置によれば、普段の吹奏感を保ちつつも吹奏楽器本体に入れる息の量を意図的に減らし、最終的に弱音効果を得ることができるという有利な効果を奏する。また、本発明の息圧調整弱音装置によれば、音を小さくする際には、吹奏楽器の内部形状によっては音程、音色に一切影響を及ぼすことなく、本発明の装置を装着していないときの吹奏感を可能な限り留保することが可能であるという有利な効果を奏する。【００３７】
また、本発明によれば、息の量を調整することができる装置であるため、弱音効果以外に、奏者自身が自分の好きな吹奏感で息量を選択して演奏ができるようになるという有利な効果を奏する。本来オカリナなどの吹奏楽器は、奏者の息量、肺活量に関係なく、楽器に合わせた息使いが求められるが、本発明に基づく技術によって、ある程度、奏者自身が息量を選択することができる。
【図面の簡単な説明】
【００３８】
【図１】図１は、本発明の一実施態様における例を示す図である。
【図２】図２は、本発明の一実施形態を示し、マウスピースｇ、および、アダプターｈをオカリナに装着した状態におけるオカリナ本体に達するまでの息の量と流れを説明した図を示す。この図２の一実施態様においては、ｇ及びｈは分離しているが、これらは一体化されていてもよい。
【図３】図３は、弱音器（マウスピース）、および、アダプターをオカリナに装着した状態を裏（ａ）と表（ｂ）から見た状態の一例を示した説明図である。
【図４】図４は、一般的なオカリナを表（ａ）と裏（ｂ）から見た状態を示した説明図を示す。
【図５】図５は、本発明の一実施態様における、第一の息量調整孔３および息量調整リング４（合わせて（ａ）として示す）、ならびに息の逃し孔の大きさを調整する様子（ｂ）を示した説明図である。
【図６】図６は、本発明の一実施態様における、マウスピースｇとアダプタ―ｈ（合わせて（ａ）として示す）のそれぞれのウィンドウェイ幅制御部５を拡大し、正面から見た状態（ｂ）、息量調整孔を変更する様子（ｃ）、および調整により変化するマウスピースウィンドウェイ幅制限部６(本発明の一例において、ウィンドウェイ幅が制限された場合。)の状態（ｄ）を示した説明図である。
【図７】図7は、本発明の一実施態様において、小さいサイズのオカリナ用補助アダプター（ミニアダプター）を装着した状態を示した説明図である。この図では、小さいサイズ用であるが、大きい吹奏楽器用では、大きな補助アダプタ―を採用することができる。
【図８】図８は、アダプター部と一体成型された息圧調整弱音装置である本発明の一実施態様を示す図である。図８（ａ）は、吹口方向から見た図である。図８（ｂ）は、図８（ａ）におけるＢ−Ｂ方向の断面図を示す。図８（ｃ）は、本発明の一実施態様の斜視図を示す。図８（ｄ）は、図８（ａ）におけるＡ−Ａ方向の断面図を示す。図８（ｅ）は、本発明の一実施態様の息圧調整弱音装置を上から見た図を示す。図８（ｆ）は、ウィンドウェイ幅制御部材の一例を示す図である。
【発明を実施するための形態】
【００３９】
本発明の息圧調整弱音装置は、吹奏楽器の吹口に設けられている息圧調整弱音装置であって、息逃し孔と、ウィンドウェイ幅制御部と、を有することを特徴とする。適用可能な楽器としては、吹き口を有し、吹き口から発音部までの間にウィンドウェイを有し、息を吹き込むことで発音する構造の楽器を挙げることができる。なお、息圧調整弱音装置は、吹口に装着するか、あらかじめ設置されていてもよい。例えば、適用可能な楽器として、吹奏楽器を挙げることができる。吹奏楽器としては特に限定されない。例えば、鍵盤ハーモニカ、インディアンフルート、オカリナ、ティンホイッスル、リコーダーなどの楽器に本発明を好ましく適用することができる。本発明の息圧調整弱音装置は、吹奏楽器の吹口に設けることができる息圧調整弱音装置であって、いわゆるマウスピースとも呼ばれているものである。
【００４０】
本発明において、息逃し孔は、ウィンドウェイを通る息を逃すことができれば特に限定されない。本発明において、息逃し孔の形状、構造等も特に限定されない。
【００４１】
また、本発明において、ウィンドウェイ幅制御部についても、ウィンドウェイの幅を制御して、当該ウィンドウェイを通る息の流れを制御することが可能であれば、特に限定されない。当該ウィンドウェイ幅制御部の位置についても特に限定されることはない。例えば、息圧調整弱音装置の吹口に、ウィンドウェイ幅制御部を設けてもよく、前記息逃し孔の付近にウィンドウェイ幅制御部を設けてもよく(この場合後述するように、ウィンドウェイ幅制御部と、息量調整部は兼ねることができる。すなわち、一つの部材で、ウィンドウェイ幅を制御して、ウィンドウェイを流れる息量を調整でき、かつ、息逃し孔からウィンドウェイ外へ息を排出する量を調整することもできる。)  、アダプター部側(楽器本体側)へウィンドウェイ幅制御部を設けてもよい。
【００４２】
吹口にウィンドウェイ幅制御部を設ける場合、弱音の程度を考慮した、所望の大きさの部材を吹口へ挿入してもよい。挿入する部材は、種々の大きさを用意でき、取替可能とすれば、汎用性が増すことになる。また、吹口に窓の様なものを設けて、所望の弱音の程度に応じて、窓を開閉することによって吹口を通過する息量を調整することができ、種々の弱音効果が期待できる。本発明においては、このように、部材を交換等するだけで、通常の演奏通りの演奏で、所望の弱音効果を発揮することができる。      
【００４３】
また、本発明の息圧調整弱音装置の好ましい実施態様において、さらに、前記息逃し孔の大きさを調整する息量調整部を有することを特徴とする。息量調整部は、息逃し孔の大きさを調整できれば足り、例えば、ウィンドウェイ内に、取替可能な息量調整部を挿入して、所望の息量が息逃し孔から流れて息を逃すように設計することができる。種々の大きさの息量調整部を多数用意して、所望の状況に応じて、最適な息量調整部をウィンドウェイ内に挿入して、息量を調整して所望の弱音を達成することができる。息量調整部は、中空管からなる部材、布、フェルト、綿、ガーゼ等を例示でき、中空管からなる部材の場合、中空管からなる部材をウィンドウェイ内に挿入して、息逃し孔の開口の大きさを調整することができ、また、布、フェルト、綿、ガーゼ又はそれら複数で生成された部材などをウィンドウェイ内に挿入して、息逃し孔の開口の大きさを調整することもできる。中空管からなる部材の材質として、例えば、シリコンゴム、その他ゴム全般、木材全般、プラスチック類全般、ガラス全般、その他空気を通しにくい材質のもの等を挙げることができる。なお、中空管からなる部材には、取り外ししやすいように、タグを設けて、当該タグをピンセットでつかみ、中空管からなる部材を引張出しやすくしても良い。
【００４４】
また、本発明の息圧調整弱音装置の好ましい実施態様において、前記息量調整部は、前記ウィンドウェイ幅制御部を兼ねることを特徴とする。例えば、前記息量調整部を、中空管とした場合、中空管の外側部分で、息逃し孔の開口の大きさを調整するとともに、前記中空管の内側の中空部分の孔の大きさ、例えば、中空管が円形であれば、孔の直径を変えて、息量を調整して、ウィンドウェイ幅を制御してもよい。中空管からなる部材の中空部分の孔の大きさが、大きければ、より多くの息が流れ、逆に、中空部分の孔の大きさが、より小さければ、より少ない息が、ウィンドウェイ内を流れることになる。これによって、所望の弱音効果を発揮することができる。
【００４５】
また、本発明の息圧調整弱音装置の好ましい実施態様において、前記息量調整部は、息量調整リングにより息量を調整するものであることを特徴とする。上述の中空管等の場合には、取り換えることによって、息逃し孔の開口の大きさを調整し、又はウィンドウェイを流れる息の量を調整することが可能であったが、息量調整リングもまた、取替可能であるが、必ずしも取り換えなくてもよい。例えば、外側と、内側と２つの息量調整リングを設け、外側及び内側の息量調整リングに、息逃し孔を備え、外側又は内側の息量調整リングを回転させることで、息逃し孔の開口の大きさを自在に変更することができる。
【００４６】
また、本発明の息圧調整弱音装置の好ましい実施態様において、前記ウィンドウェイ幅制御部は、第一の息量調整孔を有することを特徴とする。また、本発明の息圧調整弱音装置の好ましい実施態様において、前記ウィンドウェイ幅制御部は取替可能であることを特徴とする。例えば、上述のように中空管として、所望の大きさの孔(息量調整孔)を有する中空管を準備して、所望の弱音効果を狙ってもよい。
【００４７】
また、本発明の息圧調整弱音装置の好ましい実施態様において、前記第一の息量調整孔の断面形状は、円弧状又は半円であることを特徴とする。前記第一の息量調整孔の断面形状については、円弧状又は半円の他、正円、三角形、四角形、その他多角形、様々な形状であってもよい。これらの形状であっても、回転軸の中心から断面形状をずらして配置する事が可能である。前記第二の息量調整孔の断面形状は、ウィンドウェイ幅制御部の回転により、第一の息量調整孔の開口の大きさを調整したい場合には、都合が良い態様の例となる。円弧状の円弧の幅、大きさ、形状は特に限定されず、所望の弱音効果を狙って設計可能である。
【００４８】
また、本発明の息圧調整弱音装置の好ましい実施態様において、前記吹奏楽器の吹口は、複数であり、前記複数の吹口に対応することを特徴とする。これは、例えば、オカリナなどの吹奏楽器の吹口を複数要する特殊な吹奏楽器（複数管楽器）においても、当該複数管吹奏楽器本体の吹口と同じ個数の息圧調整弱音装置（マウスピース）を、当該複数管吹奏楽器本体の吹口に合致するように連結させることで、単管の楽器と同様に弱音効果を得ることができることを狙っている。
【００４９】
また、本発明のアダプターは、本発明の息圧調整弱音装置と、吹奏楽器本体との間に装着するアダプターであって、前記息圧調整弱音装置及び前記吹奏楽器本体に着脱可能であることを特徴とする。また、本発明のアダプターの好ましい実施態様において、さらに、前記ウィンドウェイ幅制御部のアダプター側の機能を備えていることを特徴とする。これは、アダプター側にもウィンドウェイの息を流れる息量を制御できる部分を設けてもよいことを意味する。なお、この一態様においては、息圧調整弱音装置と、アダプターとは着脱可能となっているが、前記息圧調整弱音装置と、アダプター部分とを一体成形したものであってもよい。この場合、前記息圧調整弱音装置には、吹奏楽器本体に接続可能なアダプター部分をも備える態様となる。
【００５０】
また、本発明のアダプターの好ましい実施態様において、さらに、第二の息量調整孔を有することを特徴とする。前記第二の息量調整孔は、上述の第一の息量調整孔と相まって、ウィンドウェイを流れる息量を調整することができる。また、本発明のアダプターの好ましい実施態様において、前記第二の息量調整孔の断面形状は、円弧状又は半円であることを特徴とする。前記第二の息量調整孔の断面形状としては、円弧状又は半円のほか、正円、三角形、四角形、その他多角形、様々な形状においても、回転軸の中心から断面形状をずらして配置する事が可能であり、特に、円弧状、半円に限定されない。第二の息量調整孔の開口の大きさを、ウィンドウェイ幅制御部の回転により、調整したい場合には、都合が良い態様の例となる。円弧状の円弧の幅、大きさ、形状は特に限定されず、所望の弱音効果を狙って設計可能である。
【００５１】
また、本発明のアダプターの好ましい実施態様において、さらに、補助アダプターを有することを特徴とする。前記補助アダプタ―は、種々の大きさの吹奏楽器に首尾よく、本発明の息圧調整弱音装置を適用することを可能とするものであり、例えば、小さい吹奏楽器に対しては、本発明の息圧調整弱音装置のアダプタ―部の内側に、より小さい径を有するミニアダプタ―を設置して、適用することができる一方、大きい吹奏楽器に対しては、本発明の息圧調整弱音装置のアダプター部の外側に、より大きい径を有するアダプターを設置して、適用することができる。
【００５２】
また、本発明の吹奏楽器は、本発明の息圧調整弱音装置及び／又は本発明のアダプターを有することを特徴とする。すなわち、マウスピースのような外付けの部品としてだけでなく、あらかじめ楽器本体に本発明に基づく仕組みを組み入れて一体化し制作することでも、同様の弱音効果を得ることができる。
【実施例】
【００５３】
ここで、本発明の実施例を説明するが、本発明は、下記の実施例に限定して解釈されるものではない。また、本発明の要旨を逸脱することなく、適宜変更することが可能であることは言うまでもない。【００５４】
実施例１
まず、吹奏楽器として、従来のエアリード楽器専用弱音器の適用が難しいと指摘されてきたオカリナを一例として、本発明の息圧調整弱音装置（マウスピース）の適用を試みた。オカリナは実質的には「壺状」であることに由来する特性を踏まえ、プロのオカリナ奏者の視点から、息圧を調整し、弱音効果が得られるように工夫した。【００５５】
オカリナは、ウィンドウェイ（吹き込んだ息が通る部分―図３のｂ）、エッジ（ウィンドウェイの出口から出てきた息がぶつかり、オカリナの内部とオカリナの外部に息を振り分ける働きをする部分―図３のｃ）、および、窓部（ウィンドウェイの出口から出てきた息を受け、オカリナの外部に息を放出する部分―図３のｄ）で構成されるが、その形状は、リコーダー類とは異なり制作者により多種多様である。【００５６】
また、一つのオカリナで発音することが可能な音域は、一般的には１オクターブ半に限定されるため、その音域の狭さを解決することを目的として、ソプラノ、アルト、テノール、バス等、音域によって様々な大きさのオカリナ及び複数の音域の楽器を一体化した複数管楽器が制作されている。【００５７】
これらの特徴を踏まえると、オカリナに従来のエアリード楽器用弱音器を装着すること自体が困難であるため、オカリナのウィンドウェイや、オカリナの裏側にある窓部、エッジ部の各部に何も装着することなく、また、オカリナの表側、裏側にあるトーンホール（図３−ｆ）にも何も影響を与えることなく、オカリナへの装着を可能にする必要がある。
また、装着することによって、オカリナ演奏時の運指の妨げにならないよう配慮する。【００５８】
オカリナは、プラスティック製のものも市販されているが、主流はあくまで「陶器」であるため、非常に壊れやすい。
特にウィンドウェイ、窓部、エッジは、発音するために最も重要な部位であり、この部位を傷つけてしまうと、最悪の場合は発音が不可能になる。
したがって、これら部位を損傷することなく着脱を可能にする。【００５９】
オカリナは、リコーダーやフルートなどの吹奏楽器（エアリード楽器）と同じ種類に分類されているが、リコーダーやフルートと比較すると、外形、および、共振系の形状が著しく異なる。【００６０】
外形、および、共振系の形状の具体的な相違点について説明すると、リコーダーやフルートの場合、本体の両端が開放されている開管楽器（円筒管）であり、筒状の本体の管内部にある空気の柱（気柱）が共振（あるいは、共鳴）して音が出る。【００６１】
これに対し、オカリナの場合、本体の一端が開放され、他端が閉じている閉管楽器（円錐管）であり、また，一端の内径が小さく、多端に向かって次第に内径が大きくなるという特徴があり、管内部の空気が共振して発音する。
さらに、詳細に検討するならば、オカリナは、実質的には左右非対称の壷状であり、オカリナを「管」とする定義は適切ではない。【００６２】
壺状であるがゆえにリコーダー等と比較して、オカリナの音質は、倍音の少ないサイン波に近い。
同じ運指であっても（すなわち、同じ音程の音を出そうとしても）、オカリナに吹き入れる息の強弱を調整しようとすると、音量と音程が連動して適正なレベルよりも上下にぶれてしまい、同時に音質も劣化する。
「劣化」とは、オカリナ特有のサイン波に近い音から偏向することを意味する。【００６３】
また、低音部から高音部に発音を移行する。
たとえば、「ド」の音から順に「レ」、「ミ」、「ファ」と音を出していく際に、正確な音程で発音するためには、低音部から高音部に移行するにつれて徐々に吹き入れる息を強くしていく必要がある。
したがって、他のエアリードを有する管楽器で実現可能な音量調整（ダイナミクスの表現）は、基本的には不可能である。【００６４】
このことは、上述したとおり、オカリナの特徴として低音部から高音部に発音を移行するにつれ、本来ならば息を強めていく必要があるが、従来のエアリード楽器用弱音器をオカリナに適用すると、吹き入れる息の強弱調整の進行方向を逆にしなければならないことを意味する。【００６５】
ゆえに、演奏技術が初級、中級程度の奏者が従来のエアリード楽器用弱音器をオカリナに装着して吹奏した場合、息の調整が難しくなり、適正な発音ができない可能性が極めて高いうえ、奏者の息の調整（音程に合わせて息の量を調整する）方法に不適切な癖がつく可能性すらある。【００６６】
また、オカリナは単音楽器であるため、演奏時には伴奏を必要とすることが多く、現状、伴奏用音源に合わせてオカリナを練習する機会も多い。
大きな音が出せない環境で、小さい音で伴奏楽器と合わせるという状況もある。【００６７】
オカリナの場合、歌口、とりわけエッジ部の状況の良しあしが音質に多大な影響を与える。
オカリナに関する一般的な常識で言えば、この部分に触れる際には、プロの奏者であっても極めて慎重な扱いが求められる。
ましてやプロ奏者ではない、一般の愛好家がこの部分に触れる際には、破損などが発生する事態も容易に予想される。
したがって、可能であれば、この部分に触れる行為は極力避けることが、オカリナの適切な扱い方法であるとされている。【００６８】
ここまでをまとめると、従来のエアリード楽器用弱音器をこの部分に装着すると、オカリナは壺状楽器であることから、リコーダーと比較して息量を調整する方向が逆になり、なおかつ音程（ピッチ）も低くなり、また、オカリナは形状等に多様性があるため、メーカーの種類別に膨大な形状の弱音装置が必要なうえ、装着の際の微調整も固体ごとに必要になる。
装着の仕方によってはまったく発音しなくなってしまう。
この重要な部分を破損する恐れさえある、ということになる。【００６９】
したがって、従来のエアリード楽器用弱音器をオカリナに適用しても、現段階では本来意図する弱音効果を十分に発揮することができない上に、奏者側での負担も大きい。【００７０】
このようなことから、本発明者は、特殊な吹奏楽器であるオカリナを切り口として、本発明の汎用性を有する息圧調整弱音装置の開発を試みた。【００７１】
本発明の一実施形態を図２に示す。【００７２】
これは、オカリナ本体にマウスピースｇ、および、アダプターｈを装着した内部の状態を示す。
マウスピースｇとアダプターｈの材質としてシリコンゴムを使用することで、マウスピースｇとオカリナ本体接触部７を損傷することなく装着、および、密閉が可能となる。【００７３】
図３は、本発明のマウスピースｇとアダプターｈをオカリナ本体に装着し、裏からみた場合（ａ）と表からみた場合（ｂ）で表している。【００７４】
図２において、マウスピース吹口1から吹き込んだ息８の量と流れは、矢印の本数と方向で示す。
息逃し孔３については、空気が流れる際にウィンドウェイの壁や様々な障害物に息が接することで雑音（いわゆる歯擦音）が発生するため、息逃し孔３を斜めに開けることでこの雑音を低減する。【００７５】
奏者は、オカリナに装着したマウスピースの吹口1に口を当てて息を吹き入れる。
吹き入れた息８は、まず、マウスピース内ウィンドウェイ２を通過する。
その後、息逃し孔３に差し掛かった息８の一部は、息逃し孔３からマウスピース外部へと排出される。
このとき、外へと排出される息の量は、息量調節リング４を回して息逃し孔３の大きさを調節する（調整方法については図５に示す）ことで設定する。
これにより、オカリナ本体に届く息の量を減少させると同時に、息を吹き込んだ際に生じる抵抗感を軽減させる。【００７６】
このように息逃し孔３から息の一部９が排出され、排出されなかった息はマウスピース内ウィンドウェイ幅制限部６(ウィンドウェイ幅制御部の一部)に到達する。
ここで幅がさらに狭くなるため、息は停留し速度が落ちる（１０）。
マウスピース内ウィンドウェイ幅制御部５（すなわち、マウスピースｇおよびアダプターｈのそれぞれ一部が接触している部分）を調整する（調整方法については、図６に示す）ことで、息の量をさらに制限する。
このようにして、息逃し孔３とマウスピース内ウィンドウェイ幅制限部６によって息の量を二段階で調節することで、当初マウスピース吹口１から吹き込んだ息８は、マウスピースウィンドウェイ幅制限部６を経て大幅に制限され、オカリナ本体に到達する。
１１は、その息量が大幅に減少していることを示している。【００７７】
したがって、普段通りに息をいれたとしても、息の量は極めて抑えられ、繊細な息のコントロールを用いずとも、普段の吹奏感のまま、わずかな量の息だけをオカリナ本体に届けることができる。【００７８】
息逃し孔３の大きさを調整する状態を図５に示す。
（ａ）において示すように息量調整リング４を、（ｂ）において示すように矢印方向に回して息逃し孔３の大きさを小さくする（３ａ）ことで、息逃し孔３から外に排出される息の量は少なくなり、さらに息量調整リング４を同じ方向に回していくことで、息逃し孔３は、完全に閉じる（３ｂ）ことができる。
これにより逃がす息の量を自在に調整することが可能になる。【００７９】
ウィンドウェイ幅の調整方法とその原理を図６に示す。
マウスピース側ｇとアダプター側ｈ（合わせてａ）のそれぞれのウィンドウェイ幅制限部６には、同じ大きさ、形状の調整孔１２と調整孔１３が開いており、マウスピースｇとアダプターｈを組み合わせると、調整孔１２と調整孔１３の面が密着する。
重なり合った調整孔１２、および、調整孔１３は、円の中心からずれた場所に位置する。【００８０】
マウスピース側ｇにあるマウスピース内ウィンドウェイ幅制限部６を拡大し、正面から見た図６（ｂ）は、調整孔が全開放の状態を示している。
言い換えれば、調整孔１２と調整孔１３の形状と位置は、ぴったりと重なりあっていることを意味する。【００８１】
マウスピース側ｇのウィンドウェイ幅制御部５aとアダプター側ｈにあるウィンドウェイ幅制御部５ｂが接触し重りあった状態を横から見た図６（ｃ）は、マウスピース側ｇのマウスピース内ウィンドウェイ幅制御部５ａを矢印１４の方向へ回すことを示している。
これによって、ぴったりと重なりあっていた調整孔１２と調整孔１３は、位置をずらした後でも重なったままの部分だけが開放の状態になる。
これにより、ウィンドウェイ幅制限部６の幅を自在に調整することが可能になる。【００８２】
マウスピースｇとアダプターｈが接合する部分には、グロスなどを塗り、回転をスムーズにすることも可能になる。【００８３】
オカリナのサイズに対応するためのミニアダプターを図７に示す。
オカリナの多様性を考慮し、小さいサイズのオカリナ（ソプラノ）でも密閉装着ができるように、マウスピースとオカリナ本体接触部７の内側に、同様のシリコンゴム製のミニアダプターを装着することで、小さいオカリナから大きいオカリナまで、すべて装着できるようにした。【００８４】
このように、本発明は、同性質を備えた他の材料や大きさの考慮により多くの変形が可能であり、こうした変更、および、変形は、すべて本発明の概念の範囲に包含されるものとし、上記説明の実施例1に限定されない。【００８５】
オカリナは、前述のとおり「壺状」という特徴ゆえ、元々「音程や音質を保ったまま」極小の音量で発音できる特性が備わっており、その特性を活かした演奏は、本特許出願人本人が考案した「みると式ミュート奏法」として確立されている。
しかしながら、この奏法で演奏するためには、極めて繊細な息づかい（息の量や強弱の調整）を要するため、プロ奏者であってもそれができる者は極めて少人数であり、事実上、オカリナには弱音機能はないに等しいものとされている。
それどころか、極度に難易度が高いため、現在のオカリナの業界内（ほとんどのプロ奏者や業界関係者、愛好家の間）でも、この機能があること自体知られておらず、オカリナでの弱音の実現は不可能とされてきた。【００８６】
しかしながら、今回、本発明によって、オカリナの様な特殊な吹奏楽器においても、誰でも簡単にその弱音機能を活かすことができることが判明した。すなわち、本発明のマウスピースを使用することで、極めて繊細な息づかいを用いずとも楽器に入る息の量を柔軟に調整することができ、すなわちマウスピース未装着の場合とほぼ同じ吹奏感で、音程と音質に影響を与えることなく、極めて小さな音量（簡易測定で２５デシベル程度低下、つまり元の音量の１／１０以上低下）で発音し、オカリナを演奏することが可能になることが判明した。【００８７】
また、種々の効果も判明し、一つ目の補足的効果について説明すれば、仮に音程が不適切に下がる問題、楽器への損傷、および、奏者への経済的な負担などをやむを得ないものとして、従来のエアリード用弱音器を適用した場合でも、本発明によるマウスピース、および、二段階式アダプターを併用し、マウスピースの調整部の設定を工夫することで、普段とほぼ同じ吹奏感での演奏が可能になる。【００８８】
二つ目の補足的効果を以下に述べる。オカリナはメーカーや個体によってかなり品質にバラツキがあり、強い息を要するものから、繊細な弱い息を要するものまで多種多様である。
仮に奏者自身が「１０」の強さで息を入れることが自身の身体能力的に最適であるとしても、楽器によっては、物理的な構造上の理由（吹口や歌口が狭い、オカリナ自体が小さいなど）で、適正に発音するためには「７」しか息を入れてはならないものがある。
この数値は、息を入れる度合いを説明するため、便宜上付した。【００８９】
この場合、通常は、楽器に合わせて奏者自身が「７」になるように息を弱めて演奏するべきだが、その際に息を吐ききれず肺に残る二酸化炭素の影響で、奏者が酸欠状態に陥る場合がある。
また、うまく調整ができず楽器に対して息を入れ過ぎてしまい、視聴していてオカリナの音が耳の負担になる、不快感を伴うほどの大音量になるなど、適正な音色と音程で演奏ができない場合もある。【００９０】
かかる問題に直面しても、本発明によるマウスピースを装着することで、普段通りの吹奏感でオカリナに最適な息の量を届けることができる。【００９１】
最後に、オカリナ業界全体に対して期待できる効果を述べる。
本発明のこれらの効果により、夜間や近隣の環境を気にすることなく練習が可能になり、実質的にオカリナの練習時間が増える。
これは、演奏のレベルアップにつながり、また、一般愛好家にとっても、練習した成果を披露したいというモティベーションの向上に寄与するものと思われ、全国各地で展開され増加の傾向にあるオカリナフェスティバルやオカリナ関連イベント等に参加を希望する人が増える。【００９２】
次に、日本に定着しているオカリナの「癒し」というイメージ、ならびに多額の資金をかけずとも気軽に始められることから、日本におけるオカリナ愛好家のおよそ８割は高年齢者であり、女性（主に主婦層）である。
そのため、オカリナメーカー、オカリナ関連イベントの企画者、楽器小売店、オカリナ教室運営者、オカリナ関連の書籍・教則本・商品の販売者は、日本のオカリナ市場を成熟市場とみなし、むしろ現在の状況について将来的な市場の飽和や枯渇を危惧する声も多い。【００９３】
一方、韓国や台湾など、日本以外にオカリナが普及している国々では、幼少の頃からオカリナに触れる機会があり、教育機関でも正規楽器として取り入れられている。
ゆえに、将来においても継続的にオカリナの安定した需要が見込める活気的な市場とみなされている。【００９４】
実施例２
次に、他の態様における本発明の息圧調整弱音装置を試みた。図８は、アダプター部と一体成型された息圧調整弱音装置である本発明の一実施態様を示す図である。図８（ａ）は、吹口方向から見た図である。図８（ｂ）は、図８（ａ）におけるＢ−Ｂ方向の断面図を示す。図８（ｃ）は、本発明の一実施態様の斜視図を示す。図８（ｄ）は、図８（ａ）におけるＡ−Ａ方向の断面図を示す。図８（ｅ）は、本発明の一実施態様の息圧調整弱音装置を上から見た図を示す。図８（ｆ）は、ウィンドウェイ幅制御部材の一例を示す図である。図８において、２０は吹口、２１は息逃し孔、２２はウィンドウェイ、２３はアダプター部、２４はウィンドウェイ幅制御部材、２５はウィンドウェイ幅制御部材の挿入の例、２６は吹口部、２７はウィンドウェイ幅制御部材の内径、をそれぞれ示す。【００９５】
吹口２０から入った息はウィンドウェイ２２を通り、息逃し孔２１を通過する。このとき、図８（ｆ）におけるような、中空管からなる部材２４を作成して、矢印２５の方向から挿入する。例えば、当該中空管からなる部材２４の長さを変えたものを複数用意する。すると、長い部材２４は、息逃し孔２１の開口部分を大きくふさぐことが出来、息逃し孔２１から排出される息量を少なくすることができる。逆に、短い部材２４を用意すれば、息逃し孔２１から排出される息量を多くすることができる。これによって、息逃し孔２１からの息の息量を調整することができる。この場合の、息量調整部は、当該中空管からなる部材２４によって構成することができるが、限定されない。
また、息量調整部等については、長さを変えず、差し込み具合で調整してもよい、同一径のサイズ違いのものを複数用意してもよい。【００９６】
すなわち、当該中空管からなる部材２４の外側部分と息逃し孔２１の内側（ウィンドウェイ側）部分の孔が接して、息量を調整することができる。【００９７】
息逃し孔２１の開口部分と異なる場所においては、中空管は、ウィンドウェイ幅制御部材として活躍する。図８（ｆ）では、円筒形状であるが、中空管は、吹口２０の孔に合わせて作製することができ、吹口部分で、息量を調整したい場合に好都合である。この場合、図８（ｃ）におけるように、吹口部２６を取替可能とすれば、中空管の内径２７を小さいものから大きいものまで種々の吹口部を用意することができる。息量を多くしたい場合、中空管の内径２７が大きいものを、逆に少なくしたい場合には、内径２７が小さいものを挿入すれば、所望の弱音効果を達成することができる。【００９８】
中空管を所望の長さに設定すれば、１つの中空管で、息量調整部と、ウィンドウェイ幅制御部の役割を演じることができる。すなわち、中空管の外側で息逃し孔２１の開閉状態を調整するとともに、中空管の内径を所望の大きさに調整することでウィンドウェイ幅を制御することができる。このような態様も本発明に含まれる。【００９９】
なお、この例において、アダプターは、息圧調整弱音装置に一体成型されている態様である。この例において、アダプター部の内側に補助アダプターを設置すれば、より小さな吹奏楽器に適用でき、アダプター部の外側に補助アダプターを設置すれば、より大きな吹奏楽器に適用することができる。【０１００】
図示しないが、ウィンドウェイ幅制御部材２４にタグ（でっぱり部）をつけておけば、当該タグをピンセットで挟むことが出来、容易に取替可能となる。【０１０１】
また、ウィンドウェイは、吹口２０からアダプター部２３まであるので、この間に、１又は複数のウィンドウェイ幅制御部を設けてもよい。例えば、吹口２０、及び息逃し孔２１の近辺などに設置してもよい。ウィンドウェイの一部又は全部に、１つ又はそれ以上のウィンドウェイ幅制御部を設置することもできる。【０１０２】
また、息量調節部の例として、中空管からなる部材を用いたが、これに限定されない。中空管からなる部材の長さを調整して、息逃し孔の大きさを調節することで、マウスピースの吹口から息逃し孔に差し掛かった息の一部を、息逃し孔からマウスピース外部へと排出させ、息を吹き込んだ際に生じる抵抗感を軽減させることが判明した。【０１０３】
この段階で排出されなかった息を、マウスピース内ウィンドウェイ幅制御部において流れる息量を調節する。ウィンドウェイ幅制御部の例として、中空管からなる部材を用いた。中空管からなる部材の中空部分の孔の大きさを調節することで、ウィンドウェイ幅に流れる息の量を制御して、所望の弱音を達成することができるも判明した。この2段階での息量の制御により、さらに息量を減らし、マウスピース内ウィンドウェイ幅制御部を経て吹奏楽器本体に届く息の量を大幅に減少させることができた。
これによって、普段の吹奏感のまま、弱音効果を得ることができることが判明した。【０１０４】
実施例３
次に、吹奏楽器として、リコーダーを用いて、本発明の息圧調整弱音装置を試みた。最も条件が厳しいオカリナにおいて、弱音効果を発揮することが出来たので、他の吹奏楽器についても、効果を試してみた。【０１０５】
その結果、アダプター部分を調整すれば、リコーダーにおいても問題なく装着が可能であり、通常通りの吹奏感、息圧のままで、楽器に到達する息量を減少させることができた。結果、音程は多少下がるものの、弱音効果を発揮することが判明した。【０１０６】
本発明に基づいた息圧調整弱音装置は、多種多様な吹奏楽器の形状から生まれる特性や構造による特徴に関係なく容易に脱着が可能な柔軟性を備えているため、本発明に基づいた息圧調整弱音装置を使用するためにあらためて別の楽器を購入する等、奏者側の経済的な負担を強いることなく、すでに所有している楽器を利用して、本発明を適用することが可能である。【０１０７】
楽器に直接触れる部分には、シリコンゴム等の軟質素材を使用するため、楽器にかかる物理的な負担が少ない。
こうした素材を使用することで、生産・加工も容易かつ安価であり、色のバリエーションやデザイン性を持たせることも可能である。
唾液の除去、清掃等のメンテナンスも容易である。【０１０８】
なお、このマウスピースの機能の本質は、「奏者の息圧を調整すること」であるため、弱音効果以外にも様々な補足的な効果が期待できる。
【産業上の利用可能性】
【０１０９】
日本における若年者層へのオカリナなどの吹奏楽器の普及は、業界全体の活性化と拡大に向けた大きな課題であることは、業界関係者の間での周知の事実である。【０１１０】
このような日本の状況、ならびに、オカリナなどの吹奏楽器が普及している韓国、台湾などの事例や需要の見込みを鑑みて、本発明により吹奏楽器と触れあう機会が増え、練習時間の増加による演奏技術のレベルアップやそれに伴う一般愛好家のモティベーション向上と演奏機会の増加で、吹奏楽器そのものの魅力がより一層露出されることが期待できる。
さらにその先に、若い世代にも吹奏楽器の存在や演奏の楽しさを訴求することにもつながる。【０１１１】
本発明は、総じて懸案となっている楽器業界全体の活性化と拡大に寄与し、手軽に演奏できる楽器としてリコーダー等とともに教育機関で使用していただくきっかけを作る可能性を提供する。
【符号の説明】
【０１１２】
ａ     吹口
ｂ     ウィンドウェイ
ｃ     エッジ部
ｄ     窓部
ｅ     歌口
ｆ     トーンホール（指孔）
ｇ     本発明によるマウスピース（「マウスピース」と略）
ｈ     本発明によるアダプター（「アダプター」と略）
１     マウスピース吹口
２     マウスピース内ウィンドウェイ
３     息の逃し孔
３ａ   息量調整リング４を矢印方向に回して逃し孔の大きさを小さくした状態
３ｂ   息量調整リング４を矢印方向に回して逃し孔を完全に閉じた状態
４     息量調整リング
５     マウスピース内ウィンドウェイ幅調整部（実質的に、マウスピースｇ全体が動くため、５は、マウスピースｇの一部を構成していることになる）
５ａ   マウスピース内ウィンドウェイ幅調整部を正面から見た状態
５ｂ   マウスピース内ウィンドウェイ幅調整部を拡大した状態
６     マウスピース内ウィンドウェイ幅制限部
７     マウスピースとオカリナ本体接触部
８     オカリナの吹口から入れる息の量
９     息の逃し孔からマウスピース外に出る息
１０   マウスピース内ウィンドウェイで流れが制限される息
１１   オカリナ本体に到達する息
１２   調整孔（ウィンドウェイ幅制限部のマウスピース側）
１３   調整孔（ウィンドウェイ幅制限部の二段階式アダプター側）
１４   ウィンドウェイ幅制限部のマウスピース側を回す方向
１５   二段階式アダプター内のミニアダプター（小さいオカリナ用）
１６   小さいオカリナ（ソプラノ管など）
２０   吹口
２１   息逃し孔
２２   ウィンドウェイ
２３   アダプター部
２４   ウィンドウェイ幅制御部材
２５   ウィンドウェイ幅制御部材の挿入の例
２６   吹口部
２７   ウィンドウェイ幅制御部材の内径
【図８】
2016129176.tif 000003
【図１】
2016129176.tif 000004
【図２】
2016129176.tif 000005
【図３】
2016129176.tif 000006
【図４】
2016129176.tif 000007
【図５】
2016129176.tif 000008
【図６】
2016129176.tif 000009
【図７】
2016129176.tif 000010
【手続補正書】
【提出日】平成28年10月14日(2016.10.14)
【手続補正１】
【補正対象書類名】特許請求の範囲
【補正対象項目名】全文
【補正方法】変更
【補正の内容】
【特許請求の範囲】
【請求項１】
吹奏楽器の吹口に設けられている息圧調整弱音装置であって、前記吹奏楽器に息が到達する前であり、かつ、前記吹奏楽器の歌口の前に、息逃し孔と、ウィンドウェイ幅制御部と、を有することを特徴とする息圧調整弱音装置。
【請求項２】
さらに、前記息逃し孔の大きさを調整する息量調整部を有する請求項１記載の息圧調整弱音装置。
【請求項３】
前記息量調整部は、前記ウィンドウェイ幅制御部を兼ねる請求項２記載の息圧調整弱音装置。
【請求項４】
前記息量調整部は、息量調整リングにより息量を調整するものであることを特徴とする請求項２又は３に記載の息圧調整弱音装置。
【請求項５】
前記ウィンドウェイ幅制御部は、第一の息量調整孔を有する請求項１〜４のいずれか１項に記載の息圧調整弱音装置。
【請求項６】
前記ウィンドウェイ幅制御部は取替可能である請求項１〜５のいずれか１項に記載の息圧調整弱音装置。
【請求項７】
前記第一の息量調整孔の断面形状は、円弧状又は半円である請求項５記載の息圧調整弱音装置。
【請求項８】
前記吹奏楽器の吹口は、複数であり、前記複数の吹口に対応する請求項１〜７のいずれか１項に記載の息圧調整弱音装置。
【請求項９】
請求項１〜８のいずれか1項に記載の息圧調整弱音装置と、吹奏楽器本体との間に装着するアダプターであって、前記息圧調整弱音装置及び前記吹奏楽器本体に着脱可能であり、前記アダプターは、ウィンドウェイ幅を制御する機能を備えていることを特徴とするアダプター。
【請求項１０】
さらに、第二の息量調整孔を有する請求項９記載のアダプター。
【請求項１１】
前記第二の息量調整孔の断面形状は、円弧状又は半円である請求項１０記載のアダプター。
【請求項１２】
さらに、補助アダプターを有する請求項９〜１１のいずれか1項に記載のアダプター。
【請求項１３】
請求項１〜８のいずれか１項に記載の息圧調整弱音装置又は請求項９〜１２のいずれか1項に記載のアダプターを有する吹奏楽器。
【手続補正２】
【補正対象書類名】明細書
【補正対象項目名】００１６
【補正方法】変更
【補正の内容】
【００１６】
すなわち、本発明の息圧調整弱音装置は、吹奏楽器の吹口に設けられている息圧調整弱音装置であって、前記吹奏楽器に息が到達する前であり、かつ、前記吹奏楽器の歌口の前に、息逃し孔と、ウィンドウェイ幅制御部と、を有することを特徴とする。
【手続補正３】
【補正対象書類名】明細書
【補正対象項目名】００２４
【補正方法】変更
【補正の内容】
【００２４】
また、本発明のアダプターは、本発明の息圧調整弱音装置と、吹奏楽器本体との間に装着するアダプターであって、前記息圧調整弱音装置及び前記吹奏楽器本体に着脱可能であり、前記アダプターは、ウィンドウェイ幅を制御する機能を備えていることを特徴とする。
【手続補正４】
【補正対象書類名】明細書
【補正対象項目名】００２５
【補正方法】削除
【補正の内容】
【国際調査報告】
2016129176.tif 000011
2016129176.tif 000012